(57)【要約】      （修正有）【課題】ＰＴＰシートに代表される直方体形収容物を簡易的に保護することができるシンプルな構造の保護カード及びこれを用いた包装箱を提供する。【解決手段】連結板８２の一側端部に、第一の折罫線８６（１）を介して延設された第一の可撓板８４（１）を備える。連結板８２の反対側の側端部に、第一の折罫線８６（１）と平行な第二の折罫線８６（２）を介して延設された第二の可撓板８４（２）を備える。第一及び第二の折罫線８６（１）、８６（２）の間隔は、直方体形収容物の厚みよりも短い。外箱の中に収容された状態で、連結板８２は、内面が直方体形収容物の長さ方向の一端面に対向し、外面が蓋部の内面に当接する。第一及び第二の可撓板８４（１）、８４（２）は、直方体形収容物の表面及び裏面に各々対向し、先端部が角筒形胴部の内面に摺接し、内面に直方体形収容物の一端面の角部が当たって外向きに撓む。【選択図】図２
0003222859.tif 000002
【実用新案登録請求の範囲】
【請求項１】
角筒形胴部の両端が蓋部及び底部で閉鎖された直方体形状の外箱の中に直方体形収容物とともに包装される保護カードであって、
連結板と、前記連結板の一側端部に、第一の折罫線を介して延設された第一の可撓板と、前記連結板の反対側の側端部に、前記第一の折罫線と平行な第二の折罫線を介して延設された第二の可撓板とを備え、前記第一及び第二の折罫線の間隔は、前記直方体形収容物の厚みよりも短く、
前記直方体形収容物とともに前記外箱の中に収容された状態で、前記第一及び第二の折罫線が折れ曲がり、前記連結板は、内面が前記直方体形収容物の長さ方向の一端面に対向し、外面が前記蓋部の内面に当接し、前記第一及び第二の可撓板は、前記直方体形収容物の表面及び裏面に各々対向し、先端部が前記角筒形胴部の内面に摺接し、内面に前記直方体形収容物の前記一端面の角部が当たって外向きに撓み、前記直方体形収容物は、前記第一及び第二の可撓板の撓みの反発力を受けて前記底部の方向に押圧されることを特徴とする保護カード。
【請求項２】
前記台紙は、前記第一及び第二の折罫線の少なくとも一方が途中で中断され、この中断された部分に、前記連結板の端部から前記第一又は第二の可撓板の内側に伸びる舌片が形成され、前記直方体形収容物とともに前記外箱の中に収容された状態で、前記舌片が前記連結板と面一に配置される請求項１記載の保護カード。
【請求項３】
請求項２記載の保護カードと前記外箱とで構成され、前記外箱は、前記角筒形胴部を構成する一側面の内側の蓋部側の端部に、開封時に指で押される押圧部が設けられ、前記押圧部は、組み立て状態で前記蓋部に連続し又は接続され、指で押されると前記一側面の他の部分から切離するように設けられ、前記保護カード及び前記直方体形収容物が前記外箱の中に収容された状態で、前記保護カードの前記舌片が、前記押圧部の内側に配置されること特徴とする包装箱。
【考案の詳細な説明】
【技術分野】
【０００１】
この考案は、略直方体外形の収容物を保護するための保護カード及びこれを用いた包装箱に関する。
【背景技術】
【０００２】
医薬品を包装するときは、添付文書（能書など）を同封することが義務付けられている。しかし、医薬品の主要な納入先は病院等の医療機関であり、医療機関の薬剤師等は、添付文書の内容をすでに理解しているので、確認が必要な場合を除いて添付文書は読まずに廃棄されるケースが多い。特に近年、インターネットを介して添付文書の内容を確認出来る環境も整ったことにより、添付文書の必要性が低下し、不必要な添付文書を薬剤師等が廃棄するのに手間が掛かっていることや、多量の添付文書の廃棄処理が環境負荷になっていることが問題視され、医薬品に添付文書を同封するルールを廃止することが検討されている。
【０００３】
例えば、収容物が薬用の錠剤等を封止したＰＴＰシートの場合、添付文書は、輸送時、ＰＴＰシートが大きく揺れたり外箱の内面に強くぶつかったりするのを防ぐ働きをする。また、開封時、外箱の開封部を押し破った指がＰＴＰシートに直接当たらないようする働きをする。そのため、添付文書が同封されなくなると、添付文書に代わりに、医薬品を保護する別の手段を設ける必要がある。
【０００４】
従来、例えば特許文献１に開示されているように、薬品などが充填されたボトル形容器等の収容物を保護するための収容物固定具があった。この収容物固定具は、収容物の上面に配置される平板部と、平板部から延び、収容物の上部を挿通する孔を有した孔あき平板部とを有し、外箱に入れられた収容物に装着されると、輸送中、収容物の側面が外箱の内面に接触しないように位置決めし、収容物を保護することができる。
【先行技術文献】
【特許文献】
【０００５】
【特許文献１】特開２００６−８２１３号公報
【考案の概要】
【考案が解決しようとする課題】
【０００６】
特許文献１の収容物固定具は、ボトル形容器の保護には適しているが、ＰＴＰシートのような直方体形収容物の保護には使用しにくい構造である。
【０００７】
本考案は、ＰＴＰシートに代表される直方体形収容物を簡易的に保護することができるシンプルな構造の保護カード及びこれを用いた包装箱を提供することを目的とする。
【課題を解決するための手段】
【０００８】
本考案は、角筒形胴部の両端が蓋部及び底部で閉鎖された直方体形状の外箱の中に直方体形収容物とともに包装される保護カードであって、連結板と、前記連結板の一側端部に、第一の折罫線を介して延設された第一の可撓板と、前記連結板の反対側の側端部に、前記第一の折罫線と平行な第二の折罫線を介して延設された第二の可撓板とを備え、前記第一及び第二の折罫線の間隔は、前記直方体形収容物の厚みよりも短く、前記直方体形収容物とともに前記外箱の中に収容された状態で、前記第一及び第二の折罫線が折れ曲がり、前記連結板は、内面が前記直方体形収容物の長さ方向の一端面に対向し、外面が前記蓋部の内面に当接し、前記第一及び第二の可撓板は、前記直方体形収容物の表面及び裏面に各々対向し、先端部が前記角筒形胴部の内面に摺接し、内面に前記直方体形収容物の前記一端面の角部が当たって外向きに撓み、前記直方体形収容物は、前記第一及び第二の可撓板の撓みの反発力を受けて前記底部の方向に押圧される保護カードである。
【０００９】
前記台紙は、前記第一及び第二の折罫線の少なくとも一方が途中で中断され、この中断された部分に、前記連結板の端部から前記第一又は第二の可撓板の内側に伸びる舌片が形成され、前記直方体形収容物とともに前記外箱の中に収容された状態で、前記舌片が前記連結板と面一に配置される。
【００１０】
また、本考案は、前記保護カードと前記外箱とで構成され、前記外箱は、前記角筒形胴部を構成する一側面の内側の蓋部側の端部に、開封時に指で押される押圧部が設けられ、前記押圧部は、組み立て状態で前記蓋部に連続し又は接続され、指で押されると前記一側面の他の部分から切離するように設けられ、前記保護カード及び前記直方体形収容物が前記外箱の中に収容された状態で、前記保護カードの前記舌片が、前記押圧部の内側に配置される包装箱である。
【考案の効果】
【００１１】
本考案の保護カード及びこれを用いた包装箱は、ＰＴＰシートに代表される直方体形収容物を対象とし、外箱の中に収容された直方体形収容物を簡易的に保護することができる。特に、保護カードは、従来から使用されている外箱の大きさや構造を変更することなく使用できるので、添付文書に代わる保護手段として好適である。さらに、保護カードは、構造が非常にシンプルで取り付け方法も簡単なので、包装作業を効率よく行うことができる。
【図面の簡単な説明】
【００１２】
【図１】本考案の包装箱の一実施形態の組み立て状態を示す図であって、外観を示す斜視図（ａ）、外箱を透視した内部構造を示す斜視図（ｂ）、直方体形収容物の一例を示す斜視図（ｃ）である。
【図２】図１の外箱を構成する外箱形成片を表面側から見た展開図（ａ）、保護カードを表面側から見た展開図（ｂ）である。
【図３】この実施形態の包装箱の組み立て方法の一例を示す断面図（ａ）、組み立て状態を示す断面図（ｂ）である。
【図４】この実施形態の包装箱を開封する時の動作を順に示す断面図（ａ）、（ｂ）である。
【図５】この実施形態の保護カードの変形例を示す展開図（ａ）〜（ｄ）である。
【考案を実施するための形態】
【００１３】
以下、本考案の保護カード及びこれを用いた包装箱の一実施形態について、図面に基づいて説明する。この実施形態の包装箱１０は、図１（ａ）、（ｂ）に示すように、角筒形胴部１２ａの両端が蓋部１２ｂ及び底部１２ｃで閉鎖された直方体形状の外箱１０と、直方体形収容物１４とともに外箱１２の中に収容される保護カード１６とで構成される。直方体形収容物１４は、例えば図１（ｃ）に示すように、略長方形に形成された複数のＰＴＰシートを重ねて束ねたような物品である。以下、直方体形収容物１４の長さをＬ、幅をＷ、厚みをＤとする。
【００１４】
外箱１２は、厚紙等の一枚のブランクシートを打ち抜いた外箱形成片１８を組み立てることによって形成される。外箱形成片１８は、図２（ａ）に示すように、互いに平行に連接された４つの側面板２０，２２，２４，２６を有している。側面板２０，２２，２４，２６は、連接している幅方向の長さは同じであり、直方体形収容物１４の長さＬの約1.2〜1.4倍に各々設定されている。側面板２０，２４の連接方向の長さは側面板２２，２６よりも短くて互いにほぼ等しく、直方体形収容物１４の厚みＤの約1.5〜2倍に各々設定されている。そして、側面板２２，２６の連接方向の長さは互いにほぼ等しく、直方体形収容物１４の幅Ｗの約1.2〜1.3倍に各々設定されている。
【００１５】
側面板２６の連接方向の端部には、糊付け片２８が短く連接されている。糊付け片２８は、角筒形胴部１２ａを形成するため、組み立て時に側面板２０の端部の裏面に糊付けされる部分である。そして、側面板２０，２２，２４，２６及び糊付け片２８は、各々折罫線３０，３２，３４，３６で区切られている。
【００１６】
各側面板の、図２（ａ）における上側の端部には、蓋部１２ｂを形成するための部材が延設され、下側の端部には、底部１２ｃを形成するための部材が延設されている。
【００１７】
側面板２０，２４の上側の端部にはサイドフラップ３８，４０が延設され、各々折罫線４２，４４で側面板２０，２４と区切られている。また、側面板２０，２４の下側の端部には、サイドフラップ４６，４８が延設され、各々折罫線５０，５２で側面板２０，２４と区切られている。
【００１８】
側面板２２の上側の端部には、台形状の外蓋片５４が延設され、折罫線５６で側面板２２と区切られている。外蓋片５４の延出長さは、側面板２０，２４の連接方向長さとほぼ同じである。また、側面板２２の下側の端部には、台形状の外底片５８が延設され、折罫線６０で側面板２２と区切られている。外底片５８の延出長さは、側面板２０，２４の連接方向長さとほぼ同じである。
【００１９】
さらに、折罫線５６の両端から内向きに各々所定長さに亘って開封用破断線６２ａが一対設けられ、側面板２２の内側に、各開封用破断線６２ａの内側先端部を起点とするコの字形の開封用破断線６２ｂが設けられ、折罫線５６の中央部と開封用破断線６２ｂとで囲まれた部分が、外箱１２を開封する時に指で押し破られる押圧部６４になっている。
【００２０】
側面板２６の上側の端部には、略長方形の内蓋片６６が延設され、折罫線６８で側面板２６と区切られている。内蓋片６６の延出長さは、側面板２０，２４の連接方向長さとほぼ同じである。さらに、内蓋片６６の先端部には、差し込み片７０が延設され、折罫線７２で内蓋片６６と区切られている。差し込み片７０は、組み立て状態で側面板２２の押圧部６４の内面に差し込まれて糊付けされる部分であり、押圧部６４を覆う大きさに形成されている。
【００２１】
また、側面板２６の下側の端部には、略長方形の内底片７４が延設され、折罫線７６で側面板２６と区切られている。内底７４の延出長さは、側面板２０，２４の連接方向長さよりも僅かに短い。
【００２２】
さらに、折罫線７６の両端から内向きに各々所定長さに亘って解体用破断線７８ａが一対設けられ、側面板２６に、各解体用破断線７８ａの内側先端部を起点とするＵ字形の解体用破断線７８ｂが設けられ、折罫線７６の中央部と解体用破断線７８ｂとで囲まれた部分が、外箱１２を解体して廃棄する時に指で押し破られる押圧部８０になっている。
【００２３】
保護カード１６は、可撓性を有した厚紙等の一枚のブランクシートを打ち抜いて形成される。図２（ｂ）に示すように、保護カード１６の中央部には、小さい長方形の連結板８２が設けられ、連結板８２の一方の長辺には、略長方形の第一の可撓板８４(1)が延設され、第一の折罫線８６(1)で連結板８２と区切られている。また、連結板８２の反対側の長辺には、略長方形の第二の可撓板８４(2)が延設され、第一の折罫線８６(1)と平行な第二の折罫線８６(2)で連結板８２と区切られている。さらに、第一の折罫線８６(1)が途中で中断され、この中断された部分にコの字形の切り込み線８８が設けられ、連結板８２の長辺から第一の可撓板８４(1)の内側に伸びる舌片９０が形成されている。
【００２４】
連結板８２の短辺の長さ、すなわち第一及び第二の折罫線８６(1)，８６(2)の間隔は、直方体形収容物１４の厚みＤの約2/5〜3/5に設定されている。連結板８２の長辺の長さは、直方体形収容物１４の幅Ｗと同じか、あるいは少し短い。また、第一及び第二の可撓板８４(1)，８４(2)の延出長さは互いに等しく、直方体形収容物１４の長さＬと同じか、あるいは少し長い。
【００２５】
次に、包装箱１０の組み立て方法及び直方体形収容物１４の包装方法の一例を説明する。ここでは、図２（ａ）、（ｂ）に示す外箱形成片１８及び保護カード１６の各折罫線の折り曲げ方について、表面が凸になる折り方を正折り、裏面が凸になる折り方を逆折りと称する。
【００２６】
まず、外箱形成片１８の折罫線３４を正折りして糊付け片２８及び側面板２６を側面板２２，２４に重ねる。そして、糊付け片２８の表面に糊を塗布した後、折罫線３０正折りして側面板２０を糊付け片２８に重ね、側面板２０の端部の裏面を糊付け片２８に糊付けする。外箱形成片１８はこの折り畳み状態で、保護カード１６は図２（ｂ）に示す平坦な状態で、包装箱１０の製造工場等から各々出荷される。
【００２７】
次に、直方体形収容物１４の包装を行う工場等において、外箱形成片１８の折罫線３０，３２，３４，３６を各々９０度に正折りし、側面板２０，２２，２４，２６で成る角筒形胴部１２ａを形成する。そして、折罫線４２，４４でサイドフラップ３８，４０を各々９０度に正折りし、差し込み片７０の表面に糊９２を塗布した後、折罫線６８で内蓋片６６を９０度に正折りし、折罫線７２で差し込み片７０を９０度に正折りし、差し込み片７０を側面板２２の内側に差し込んで係止させる。そして、内蓋片６６の表面に糊９４を塗布した後、折罫線５６で外蓋片５４を９０度に正折りし、外蓋片５４の裏面を内蓋片６６に糊付けする。これで、角筒形胴部１２ａの一端部を閉鎖する蓋部１２ｂが形成される。
【００２８】
ここまで組み立てると、次に、角筒形胴部１２ａの反対側の開口部から、保護カード１６及び直方体形収容物１４を入れる作業を行う。まず、図３（ａ）に示すように、保護カード１６の第一及び第二の折罫線８６(1)，８６(2)を適宜の角度に各々正折りし、第一及び第二の可撓板８４(1)と８４(2)を略ハの字形に対向させる。このとき、舌片９０は、第一の可撓板８４(1)から離れ、連結板８２と面一な状態で第一の可撓板８４(1)の側方に突出する。
【００２９】
次に、直方体形収容物１４に保護カード１６を装着する。装着する時は、第一及び第二の可撓板８４(1)，８４(2)が直方体形収容物１４の表面及び裏面に各々対向し、連結板８２の内面が直方体形収容物１４の長さ方向の一端面に対向するように差し込む。そして、直方体形収容物１４及び保護カード１６を、連結板８２の側から、角筒形胴部１２ａの中に入れる。
【００３０】
直方体形収容物１４及び保護カード１６が角筒形胴部１２ａの中に収まると、折罫線５０，５２でサイドフラップ４６，４８を各々９０度に正折りし、折罫線７６で内底片７４を９０度に正折りし、内底片７４の表面に糊９６を塗布した後、折罫線６０で外底片５８を９０度に正折りし、外底片５８の裏面を内底片７４に糊付けする。これで、角筒形胴部１２ａの他端部を閉鎖する底部１２ｃが形成され、図３（ｂ）及び図１（ａ）、（ｂ）に示す組み立て状態になる。
【００３１】
組み立て状態では、図３（ｂ）に示すように、保護カード１６の連結板８２は、外面が蓋部１２ｂの内面に当接し、第一及び第二の可撓板８４(1)，８４(2)は、先端部が外箱１２の側面板２２，２６の内面に摺動可能に当接し、内面に直方体形収容物１４の端面の角部が当たって各々外向きに撓む。そして、直方体形収容物１４は、第一及び第二の可撓板８４(1)，８４(2)の撓みの反発力を受けて底部１２ｃの方向に押圧され、且つ側面板２２，２６から離れる方向（外箱１２の中央部の方向）に押圧される。その結果、直方体形収容物１４は、外箱１２の中で保護カード１６により緩衝的に保持され、輸送時に外箱１２の中で大きく揺れたり、外箱１２の内面に強くぶつかったりするのが防止される。
【００３２】
包装箱１０を開封する時は、図４（ａ）に示すように、外箱１２の押圧部６４を指で押して開封用破断線６２ｂを破断させ、押圧部６４及び差し込み片７０を押し込み、保護カード１６の舌片９０を間に挟むように外蓋片５４及び内蓋片６６に重ねる。そして、この重ねた部分を摘まんで引き上げて開封用破断線６２ａを破断させると、外蓋片５４及び内蓋片６６が開閉可能になる。この開封の操作を行う時、直方体形収容物１４は保護カード１６の内側にあり、しかも押圧部６４から離れた位置に保持されているので、外箱の開封部を押し破った指が直方体形収容物１４（ＰＴＰシート等）に直接当たったり、大きなストレスが加わったりはしない。
【００３３】
その後、図４（ｂ）に示すように外蓋片５４及び内蓋片６６を引き上げる操作を行うと、保護カード１６も一緒に引き上げられ、連結板８２に押されてサイドフラップ３８，４０が自動的に立ち上がり、蓋部１２ｂが広く開放する。そして、第一の可撓板８４(1)を指で摘まむ等して、保護カード１６を外箱１２から完全に引き抜くと、外箱１２の中の直方体形収容物１４を取り出すことができる。
【００３４】
包装箱１０を開封した後、再封する時は、従来と同様に、外箱１２の差し込み片７０を再び側面板２２の内側に差し込む。保護カード１６は外箱１２の中に再びセットしてもよいし、セットしなくてもよい。
【００３５】
包装箱１０を開封した後、廃棄する時は、外箱１２の押圧部８０を押して解体用破断線７８ｂを破断させ、外底片５８及び内底片７４を引き上げて解体用破断線７８ａを破断させて底部１２ｃを解体する。これで、外箱１２を薄く折り畳むことができるので、コンパクトに廃棄することができる。保護カード１６も同様に、展開したり折り畳んだりして平坦な状態にすれば、コンパクトに廃棄することができる
以上説明したように、この実施形態の保護カード１６及び包装箱１０によれば、外箱１２の中に収容された直方体形収容物１４を簡易的に保護することができる。特に、保護カード１６は、従来から使用されている外箱１２の大きさや構造を変更することなく使用できるので、添付文書に代わる保護手段として好適である。また、保護カード１６は、構造が非常にシンプルで取り付け方法も簡単なので、包装作業を効率よく行うことができる。
【００３６】
次に、保護カード１６の複数の変形例を説明する。上記の保護カード１６は、連結板８２に少し長めの舌片９０を設け、図４（ａ）、（ｂ）に示す動作により、開封時に簡単に引き出すことができるという特徴がある。しかし、例えば、図５（ａ）に示す保護カード９８のように、舌片９０を短めにしてもよい。この場合、外蓋片５４及び内蓋片６６を引き上げた時に保護カード１６が一緒に移動しなくなるので、外蓋片５４、内蓋片６６及びサイドフラップ３８，４０を開いた後、短い舌片９０を指で摘まんで保護カード９８を引き抜くとよい。
【００３７】
また、図５（ｂ）に示す保護カード１００のように、連結板の両端部に２つの舌片９０(1)，９０(2)を一対に設ける構造すれば、保護カード９８と同様の使い方をすることができ、しかも保護カードに方向性が無くなるので、さらに取り扱いが容易になる。また、図５（ｃ）に示す保護カード１０２のように、片側に２つの舌片８８(1)、反対側にも２つの舌片８８(2)を設けてもよく、同様の効果が得られる。あるいは、図５（ｄ）に示す保護カード１０４のように、必要に応じて舌片を省略することも可能である。
【００３８】
なお、本考案の保護カード及びこれを用いた包装箱は、上記実施形態に限定されるものではなく、例えば、保護カード及び外箱の大きさ、保護カードの撓みやすさ（厚み、材質）は変更することができる。すなわち、直方体形収容物の大きさや質量に合わせて適宜調節し、直方体形収容物が図３（ｂ）に示すような状態で適切に保護されるようにすればよい。
【００３９】
外箱の蓋部及び底部の構成は、上記の蓋部１２ｂ，１２ｃの構成に限定されない。例えば、蓋部は、蓋部１２ｂの外蓋片５４を省略し、内蓋片６６の端部を押圧部６４の表面に封緘テープで接続する構造にしてもよい。また、底部の構造は自由に変更することができ、例えば蓋部と同じ構造にしてもよい。
【００４０】
その他、包装対象の直方体形収容物の種類は特に限定されず、ＰＴＰシート以外の様々な物品の包装にも使用することができる。
【符号の説明】
【００４１】
１０  包装箱
１２  外箱
１２ａ  角筒形胴部
１２ｂ  蓋部
１２ｃ  底部
１４  直方体形収容物
１６，９８，１００，１０２，１０４  保護カード
１８  外箱形成片
２０，２２，２４，２６  側面板
６４  押圧部
８４(1)  第一の可撓板
８４(2)  第二の可撓板
８６(1)  第一の折罫線
８６(2)  第二の折罫線
９０，９０(1)，９０(2)  舌片
【図１】
0003222859.tif 000003
【図２】
0003222859.tif 000004
【図３】
0003222859.tif 000005
【図４】
0003222859.tif 000006
【図５】
0003222859.tif 000007